(57)【要約】【課題】  ＶＣＴシステムにおいて、トルク入力を増加させる。【解決手段】  クランクシャフト１００が少なくとも一つのカムシャフト９，８０ａ，８０ｂに駆動連結されているＶＣＴシステムにおいて、少なくとも一つのタイミングギヤ８４がクランクシャフトまたはカムシャフトと連係している。タイミングギヤ８４は、ギヤ中心まで第１の距離（ｘ−Δｘ）を有する第１のグループと、ギヤ中心まで第２の距離（ｘ＋Δｘ）を有する第２のグループとを含む少なくとも二つの歯状突起のグループを有している。第１の距離（ｘ−Δｘ）は、第２の距離（ｘ＋Δｘ）と異なっている。これにより、ＶＣＴシステムにおいて、トルク駆動のためのねじりエネルギを増加させることができる。【選択図】  図３
2004232628.tif 000002
【特許請求の範囲】
【請求項１】
少なくとも一つのカムシャフト（９，８０ａ，８０ｂ）に駆動連結されたクランクシャフト（１００）を有する可変カムタイミング（ＶＣＴ）システムにおいて、
少なくとも一つのタイミングギヤ（８４）が、クランクシャフト（１００）またはカムシャフト（９，８０ａ，８０ｂ）と連係しており、
タイミングギヤ（８４）が、歯状突起を有する少なくとも二つのグループを備えるとともに、
少なくとも二つのグループが、ギヤ中心まで第１の距離（ｘ−Δｘ）を有する第１のグループと、ギヤ中心まで第２の距離（ｘ＋Δｘ）を有する第２のグループとを含んでおり、第１の距離（ｘ−Δｘ）が第２の距離（ｘ＋Δｘ）と異なっている、
ことを特徴とするＶＣＴシステム。
【請求項２】
請求項１において、
少なくとも二つのグループが、ギヤ中心まで第３の距離（ｘ）を有する第３のグループをさらに備えている、
ことを特徴とするＶＣＴシステム。
【請求項３】
請求項１において、
タイミングギヤ（８４）が、少なくとも一つのカムシャフト（９，８０ａ，８０ｂ）に同心に取り付けられている、
ことを特徴とするＶＣＴシステム。
【請求項４】
請求項１において、
タイミングギヤ（８４）がクランクシャフト（１００）に同心に取り付けられている、
ことを特徴とするＶＣＴシステム。
【請求項５】
請求項１において、
タイミングギヤ（８４）が位相器に取り付けられている、
ことを特徴とするＶＣＴシステム。
【請求項６】
請求項１において、
タイミングギヤ（８４）がエンジンタイミングチェーンと係合しており、タイミングギヤ（８４）が、エンジンタイミングチェーンのリンクと係合するようにリム上に配置された、異なる歯状突起および溝を有している、
ことを特徴とするＶＣＴシステム。
【請求項７】
請求項１において、
タイミングギヤ（８４）が、エンジンタイミングベルトと係合している、
ことを特徴とするＶＣＴシステム。
【請求項８】
少なくとも一つのカムシャフト（９，８０ａ，８０ｂ）に駆動連結されたクランクシャフト（１００）を有する可変カムタイミング（ＶＣＴ）システムにおいて、
システムが、少なくとも一つのカムシャフト（９，８０ａ，８０ｂ）の上に配置された共振体を備え、共振体が、少なくとも一つの質量（９６，９７）と、少なくとも一つの弾性部材（９８）とを有しており、
それによって、少なくとも一つのカムシャフト（９，８０ａ，８０ｂ）のねじり振動が、所定のエンジン速度において増加している、
ことを特徴とするＶＣＴシステム。
【請求項９】
請求項８において、
少なくとも一つの質量（９６，９７）が、環状の金属製部材を備えている、
ことを特徴とするＶＣＴシステム。
【請求項１０】
請求項８において、
少なくとも一つの弾性部材（９８）が、少なくとも一つのカムシャフト（９，８０ａ，８０ｂ）に装着された環状のゴム製部材を備えている、
ことを特徴とするＶＣＴシステム。
【請求項１１】
請求項８において、
少なくとも一つの弾性部材（９８）が、少なくとも一つのカムシャフト（９，８０ａ，８０ｂ）に装着された第１の端部と、少なくとも一つの質量（９６，９７）に連結された第２の端部とを有する少なくとも一つのスプリングを備えている、
ことを特徴とするＶＣＴシステム。
【請求項１２】
請求項８において、
システムが、カムトルク駆動（ＣＴＡ）型、油圧駆動（ＯＰＡ）型、またはトルク・アシスト（ＴＡ）型システムである、
ことを特徴とするＶＣＴシステム。
【請求項１３】
請求項１において、
ＶＣＴシステムが、カムトルク駆動（ＣＴＡ）型、油圧駆動（ＯＰＡ）型、またはトルク・アシスト（ＴＡ）型システムである、
ことを特徴とするＶＣＴシステム。
【発明の詳細な説明】
【技術分野】
【０００１】
本発明は、可変カムタイミング（ＶＣＴ: variable camshaft timing）システムの分野に関する。より詳細には、本発明は、制限された固有のねじりを有するエンジン（たとえば４シリンダエンジン）のためにカムねじりを増加させるための改造を含むカムトルク駆動型（ＣＴＡ： cam torque actuated）可変カムタイミング（ＶＣＴ) システムに関する。
【背景技術】
【０００２】
内燃機関の性能は、エンジンの種々のシリンダのインテークバルブを駆動するカムシャフトと、エグゾーストバルブを駆動するカムシャフトという２本のカムシャフトを使用することによって改良することが可能である。
【０００３】
典型的には、このようなカムシャフトの一方は、第１のスプロケットおよびチェーン駆動装置または第１のベルト駆動装置を介してエンジンのクランクシャフトによって駆動され、他方のカムシャフトは、第２のスプロケットおよびチェーン駆動装置または第２のベルト駆動装置を介して、前記一方のカムシャフトによって駆動される。あるいは、双方のカムシャフトが、単一のクランクシャフトにより駆動されるチェーン駆動装置またはベルト駆動装置により運転される。
【０００４】
２本のカムシャフトを備えたエンジンの性能は、エグゾーストバルブに対するインテークバルブの運転の点からまたはクランクシャフトの位置に対する各バルブの位置の点からエンジンタイミングを変更するために、一方のカムシャフト（通常はインテークバルブ駆動用のカムシャフト）の他方のカムシャフトおよびクランクシャフトに対する位置関係を変化させることによって、アイドル運転の質、燃費、低減排気ガスおよび上昇トルクの観点からさらに改良を加えることが可能である。
【０００５】
引用することによってすべて本明細書の中に含まれる以下の米国特許により開示された情報を考慮することは、本発明の背景を探るのに有用である。
米国特許第 5,002,023号は、本発明の分野におけるＶＣＴシステムについて記述している。このシステムの液圧装置は、適切な作動流体要素を備えるとともに逆方向に作用する一対の液圧シリンダを有している。
【０００６】
作動流体要素は、作動流体を一方のシリンダから他方のシリンダにまたはその逆方向に選択的に移送しており、これにより、クランクシャフトに対するカムシャフトの周方向位置をアドバンスさせまたはリタードさせている。
【０００７】
制御システムは、一方または他方のシリンダからの作動流体の排出がバルブ内のスプールを中央位置つまり零位置から一方向または他の方向に移動させることによって行われる制御バルブを使用している。
【０００８】
スプールの移動は、スプールの一端に作用する制御液圧Ｐc の増加または減少に応じて、さらにスプリングの一端に作用する液圧と他端に作用する圧縮スプリングによる機械的な押付力との間の関係に応じて、生じる。
【０００９】
米国特許第 5,107,804号は、本発明の分野における他のタイプのＶＣＴシステムについて記述しており、このシステムの液圧装置は、囲繞されたハウジング内にローブを備えたベーンを有している。このベーンは、上述の米国特許第 5,002,023号により開示された逆方向作用のシリンダに取って代わっている。
【００１０】
ベーンは、ハウジング内でローブの一方の側から他方の側にまたはその逆方向に作動流体を移動させることによりハウジングに対してベーンを一方の側から他方の側に振動させる適切な作動流体要素を有しており、ベーンはハウジングに対して振動可能つまり周方向に移動可能に構成されている。
【００１１】
このようなベーンの振動は、クランクシャフトに対するカムシャフトの位置をアドバンスまたはリタードさせるのに効果的なものである。このＶＣＴシステムの制御システムは、米国特許第 5,002,023号に開示されたものと同一であって、スプールバルブに作用する同種の力に反応する同一タイプのスプールバルブを使用している。
【００１２】
米国特許第 5,172,659号および米国特許第 5,184,578号はいずれも、スプールの一端に作用する液圧による力とスプールの他端に作用する機械的な力とを釣り合わせようとする試みによって発生する、上述したタイプのＶＣＴシステムの問題に取り組んでいる。
【００１３】
米国特許第 5,172,659号および米国特許第 5,184,578号の双方に開示された改良制御システムは、スプールの両端に作用する液圧による力を利用している。スプールの一端に作用する液圧による力は、最大液圧Ｐs でエンジンオイルギャラリから直接供給される作動流体に起因している。
【００１４】
スプールの他端に作用する液圧による力は、減圧Ｐc 下でＰＷＭソレノイドからの作動流体に反応して作用する液圧シリンダまたはその他の倍力装置に起因している。スプールの対向端の各々に作用する力が元々同じ作動流体に基づいた液圧であるため、作動流体の圧力または粘性の変化は自己否定的なものであって、スプールの中央位置または零位置には影響を与えない。
【００１５】
米国特許第 5,289,805号は、改良されたＶＣＴ方法を提供している。この方法は、所定の設定値を追跡する挙動を生じさせる液圧ＰＷＭスプール位置制御および進んだ制御アルゴリズムを利用している。
【００１６】
米国特許第 5,361,735号においては、カムシャフトが、非振動の回転のために一端に固定されたベーンを有している。カムシャフトはまた、カムシャフトとともに回転しかつカムシャフトに対して振動可能なタイミングベルト駆動のプーリを有している。ベーンは、プーリの対向凹部内にそれぞれ受け入れられた対向配置のローブを有している。
【００１７】
カムシャフトは、通常の運転中に発生するトルクパルスに反応して変化する傾向がある。カムシャフトは、エンジン制御ユニットからの信号に反応して制御バルブのバルブ本体内でのスプールの位置を制御することによって、凹部からのエンジンオイルの流れを選択的に許容しまたは阻止することにより、アドバンスしまたはリタードするようになっている。
【００１８】
スプールは、好ましくはステッピングモータ型の電気モータによって回転させられるロータリー・リニア運動移動手段によって一定の方向に付勢されている。
【００１９】
米国特許第 5,497,738号は、ＶＣＴシステムの実施態様で利用された最大液圧Ｐs においてエンジンオイルギャラリから直接供給された作動流体に起因してスプールの一端に作用する液圧による力を除去する制御システムについて開示している。
【００２０】
ベントスプールの他端に作用する力は、好ましくは可変力ソレノイド型の電気機械的アクチュエータによるものであり、この力は、種々のエンジンパラメータを監視するエンジン制御ユニット（ＥＣＵ）から出力された電気信号に反応してベントスプールに直接作用している。
【００２１】
ＥＣＵは、カムシャフト位置およびクランクシャフト位置に対応するセンサ信号を受け取り、この位置情報を利用して相対位相角を計算する。好ましくは、位相角誤差を補償するクローズドループフィードバックシステムが採用されている。
【００２２】
可変力ソレノイドの使用が、緩慢な動的応答性の問題を解決する。このような装置は、スプールバルブの機械的応答性と同程度に速くなるように設計でき、確かに従来の完全液圧差圧制御システムよりもずっと速くなっている。
【００２３】
応答性が速くなることにより、増加したクローズドループゲインを使用することができ、これにより、構成要素の許容誤差および運転環境に対してシステムがそれほど敏感でないようにすることが可能である。
【００２４】
米国特許第 5,657,725号は、駆動のためにエンジンオイル圧を利用する制御システムを示している。このシステムは、ベーンが一端に固定されたカムシャフトを有しており、ベーンはカムシャフトとともに回転可能でカムシャフトに対して振動しないようになっている。
【００２５】
カムシャフトはまた、カムシャフトとともに回転しかつカムシャフトとともに振動するハウジングを有している。ベーンは、ハウジングの対向凹部内に受け入れられた対向ローブを有している。
【００２６】
ベーンおよびハウジングが相対的に振動でき、これにより、カムシャフトの位相がクランクシャフトの位相に対して変化するように、凹部はローブよりも周方向長さが長くなっている。カムシャフトは、通常の運転中に受けるエンジンオイル圧および（または）カムシャフトトルクパルスに反応して方向を変える。
【００２７】
エンジン運転状態を示すエンジン制御ユニットからの信号に反応してスプールバルブ本体内のスプールの位置を制御することによって、カムシャフトは、凹部からリターンラインを通るエンジンオイルの流れを選択的に許容しまたは阻止することにより、アドバンスまたはリタードすることができる。
【００２８】
スプールは、エンジン制御ユニットからの信号に反応してその対向端に作用する液圧による力を制御することによって、選択的に配置される。ベーンは、回転中にカムシャフトが受ける一方向の摩擦トルクに対して反作用の力を作用させるように、最も端の位置に付勢されている。
【００２９】
米国特許第 6,247,434号は、エンジンオイルによって駆動される多数位置可変カムシャフトタイミングシステムを示している。このシステム内には、カムシャフトに同期して回転するようにハブがカムシャフトに固定されている。
【００３０】
また、ハウジングがハブを囲繞しており、ハウジングは、ハブおよびカムシャフトとともに回転可能であり、所定の回転角の範囲内でハブおよびカムシャフトに対して振動可能になっている。ドライブベーンは、ハウジング内において半径方向に配置されており、ハブの外面と協働する。
【００３１】
ドリブンベーンは、ハウジング内において半径方向に配置されており、ハブの内面と協働する。ロック装置は、油圧に反応して、ハウジングおよびハブ間の相対運動を防止している。また制御装置が、ハブに対するハウジングの振動を制御している。
【００３２】
米国特許第 6,250,265号は、内燃機関のためのアクチュエータロック機構を備えた可変バルブタイミングシステムを示している。この可変バルブタイミングシステムは、ベーンが固定されたカムシャフトを有しており、ベーンは、カムシャフトとともに回転しかつカムシャフトに対して振動しないようになっている。
【００３３】
ベーンは、周方向に延びかつ半径方向外方に延びる複数のローブを有している。ベーンは、各ローブに対応する複数の凹部を有する環状ハウジングによって囲繞されており、各ローブは、対応する各凹部に受け入れられている。
【００３４】
ハウジングがカムシャフトおよびベーンとともに回転しているときにベーンおよびカムシャフトに対するハウジングの振動を許容するように、各凹部は、ローブの周方向長さよりも長い周方向長さを有している。ベーンおよびカムシャフトに対するハウジングの振動は、ローブの対向側の各凹部内の加圧エンジンオイルによって励起されている。
【００３５】
好ましくは、凹部内の油圧は、運転中のカムシャフトの回転時に、カムシャフトのトルクパルスから一部引き出されている。環状ロックプレートは、カムシャフトおよび環状ハウジングと同芯に配置されている。
【００３６】
また、環状ロックプレートは、ロックプレートが環状ハウジングと係合してベーンに対する周方向の動きを防止する第１の位置と、ベーンに対する環状ハウジングの周方向の動きを許容する第２の位置との間で、カムシャフトの長手方向の中心軸に沿って環状ハウジングに対して移動可能になっている。ロックプレートは、第１の位置に向かってスプリングにより付勢されるとともに、エンジンオイル圧により、第１の位置から離れて第２の位置に向かって押圧される。
【００３７】
ロックプレートは、エンジンオイル圧がスプリングの付勢力に打ち勝つほど十分に高いときに、これは環状ハウジングおよびベーンの相対位置を変化させるように要求される唯一のときであるが、カムシャフトを挿通する流路によって第２の位置にさらされる。ロックプレートの移動は、クローズドループ制御システムまたはオープンループ制御システムを介して、エンジン電子制御ユニットにより制御されている。
【００３８】
米国特許第 6,263,846号は、ベーン型可変カムシャフトタイミングシステムのための制御バルブを示している。この制御バルブは、カムシャフトおよびこれに固定されてカムシャフトとともに回転するハブを有する内燃機関を含んでいる。
【００３９】
また、ハウジングがハブを囲繞しており、ハウジングは、ハブおよびカムシャフトとともに回転可能であり、ハブおよびカムシャフトに対して振動可能になっている。ドライブベーンは、ハウジング内において半径方向内方に配置されており、ハブとともに協働する。
【００４０】
ドリブンベーンは、ハウジングと協働するようにハブ内において半径方向外方に配置されている。また、ドリブンベーンは、アドバンスチャンバおよびリタードチャンバを周方向に交互に限定するように、ドライブベーンと周方向に交互に配置されている。
【００４１】
ハブに対するハウジングの振動を制御するための構成は、電子エンジン制御ユニットと、電子エンジン制御ユニットに反応してアドバンスチャンバに対するエンジンオイル圧を調整するアドバンス制御バルブとを有している。電子エンジン制御ユニットに反応するリタード制御バルブは、リタードチャンバに対してエンジンオイル圧を調整する。
【００４２】
アドバンス通路は、アドバンス制御バルブおよびアドバンスチャンバ間でエンジンオイル圧を伝達する。リタード通路は、リタード制御バルブおよびリタードチャンバ間でエンジンオイル圧を伝達する。
【００４３】
米国特許第 6,311,655号は、ベーン取付けのロックピストン装置を有する多数位置可変カムタイミングシステムを示している。カムシャフトおよび可変カムシャフトタイミングシステムを有する内燃機関において、ロータはカムシャフトに固定されるとともに、カムシャフトに対して回転可能で振動しないように構成されている。
【００４４】
ハウジングは、ロータを囲繞するとともに、ロータおよびカムシャフトの双方に対して回転可能になっており、さらに、最リタード位置および最アドバンス位置間においてロータおよびカムシャフトの双方に対して振動可能になっている。
【００４５】
ロック装置は、ロータまたはハウジングのいずれか一方の内部に設けられるとともに、最リタード位置、最アドバンス位置およびこれらの間の位置において、ロータまたはハウジングのいずれか他方に係脱可能に係合しており、ロータおよびハウジング間の相対運動を防止している。
【００４６】
ロック装置は、ロータをハウジングに固定するために、キーとその逆側に設けられたセレーションとを備えたロックピストンを有している。制御装置は、ハウジングに対するロータの振動を制御する。
【００４７】
米国特許第 6,374,787号は、エンジンオイル圧によって駆動される多数位置可変カムシャフトタイミングシステムを示している。ハブがカムシャフトに同期して回転するようにカムシャフトに固定されている。ハウジングは、ハブを囲繞しており、ハブおよびカムシャフトとともに回転するとともに、所定の回転角の範囲内でハブおよびカムシャフトに対して振動するようになっている。
【００４８】
ドライブベーンは、ハウジング内において半径方向に配置されており、ハブの外面と協働している。ドリブンベーンは、ハブ内において半径方向に配置されており、ハウジングの内面と協働している。油圧に反応するロック装置は、ハウジングおよびハブ間の相対運動を防止している。制御装置は、ハブに対するハウジングの振動を制御している。
【００４９】
米国特許第 6,477,999号は、非振動の回転のために、その一端にベーンが固定されたカムシャフトを示している。カムシャフトはまた、カムシャフトとともに回転しかつカムシャフトに対して振動可能なスプロケットを有している。ベーンは、スプロケットの対向凹部内にそれぞれ受け入れられた対向配置のローブを有している。
【００５０】
凹部は、ベーンおよびスプロケットが互いに振動するのを許容するように、ローブよりも大きな周方向長さを有している。カムシャフトの位相は、通常の運転中に受けるパルスに反応して変化する傾向がある。
【００５１】
カムシャフトの位相は、制御バルブのバルブ本体内におけるスプールの位置を制御して、凹部からの加圧作動流体（好ましくはエンジンオイル）の流れを選択的に阻止しまたは許容することにより、アドバンスまたはリタード方向という一定の方向にのみ変化するように許容されている。
【００５２】
スプロケットは、カムシャフトの回転軸から離れて該回転軸に平行に延びる貫通通路を有している。ピンは、通路内にスライド可能に設けられており、ピンの自由端が通路を越えて突出する位置までスプリングによって弾性的に付勢されている。ベーンは、ポケットを有するプレートを備えており、該ポケットは所定のスプロケットの通路と整列している。
【００５３】
ポケットは作動流体を受け入れており、流体圧が通常の運転レベルにあるとき、ポケット内には、ピンの自由端がポケットに入らないようにするのに十分な圧力がある。その一方、液圧レベルが低いときには、ピンの自由端がポケット内に入り、カムシャフトおよびスプロケットと所定の向きに係合する。
【００５４】
いくつかのエンジンにおいては、油圧駆動型可変カム位相器をインテークカムに使用することが知られている。油圧駆動型可変カム位相器の目的または機能は、エンジンの吸気性能を改良することにより、エンジン性能または燃費を向上させ、あるいは排ガスを低減させることにある。
【００５５】
エグゾーストカムの上にＶＣＴ位相器を備えた一組のエンジンは、エンジンの排ガス再循環（ＥＧＲ： exhaust gas recirculation）を向上させるためによく用いられており、これにより、ＥＧＲバルブのようなＥＧＲサブシステムの使用を排除している。このエンジンの組においては、位相器（たとえばエグゾースト位相器）が、インテークカムに取り付けられた通常の位相器よりも速くシフトすることが要求されている。
【００５６】
インテークカム位相器は、エンジン速度の高速領域においてエンジン出力を向上させるのに使用されることが知られている。インテークカム位相器においては、シフトタイミングは、他の入力位相器において設計時に考慮すべき事項と比べて、それほど重要ではない。
【００５７】
図１において、グラフ１０は、エンジン速度に対する種々のタイプのエンジントルク応答性の機能的関係を示している。グラフ１０中の実線２０に示されるように、Ｖ８エンジンが、相対的にもっとも高いトルク出力つまりねじりを有している。
【００５８】
Ｖ６エンジンにおいては、実線３０に示すように、ねじりはＶ８エンジンよりも小さいが、十分に機能するカムトルク駆動型（ＣＴＡ）可変カムタイミング（ＶＣＴ）システムの最小速度を示す破線４０よりも上方に位置している。
【００５９】
言い換えれば、ここに示されたＶ８およびＶ６タイプのエンジンは、カムトルク駆動（ＣＴＡ）型可変カムタイミング（ＶＣＴ）システムを十分に機能させるために、修正を加えることなく、固有のねじりを有している。
【００６０】
その一方、Ｉ４型エンジンの場合には、ねじりが十分満足に機能するのは、エンジン速度の低速回転領域においてのみである。実線５０と破線４０との交点５２から分かるように、Ｉ４型エンジンのエンジン速度が交点５２を超えて増加すると、以下に示される無修正のねじりは、満足のいくＣＴＡ運転のための十分なねじりを本来生成することができない。
【００６１】
実線６０のＩ５タイプおよび実線７０のＩ６タイプを含む他のタイプのエンジンにおいては、いずれも破線４０の下方に位置しており、したがって、ＣＴＡ位相器の通常の性能のための固有のねじりを十分に使用することができない。言い換えれば、Ｖ６またはＶ８エンジンのようなタイプのエンジンにおいては、ＣＴＡ位相器を備えたＶＣＴシステムは、良好に作動し、つまり十分なトルクを発生させる。
【００６２】
図１から分かるように、Ｖ６またはＶ８エンジンのようなタイプのエンジンにおいては、ＣＴＡ位相器が良好に作動する。その理由は、Ｖ６またはＶ８エンジンの場合、プライマリ・カムトルク入力が、点火次数からくる第３次のカム次数に起因しているからである。
【００６３】
これらのエンジンはまた、Ｉ４、Ｉ５エンジンなどのような他のタイプのエンジンと比較して、低い最大エンジン速度を有している。さらに、Ｖ６またはＶ８エンジンの場合、第３次のねじり入力は、依然として非常に大きい。
【００６４】
その一方、４シリンダエンジンに関しては、プライマリ・カムトルク入力は、第４次のカム次数に起因している。典型的な４シリンダエンジンでは、この４次のトルク入力は、高速のエンジン速度において零値近くまで減少する。その結果、カムトルク駆動型位相器の実効値は、３５００〜５０００ＲＰＭ後に減少する。
【００６５】
このような欠点を克服するのに用いられた、従来技術における或るアプローチは、装置を駆動する手助けとなるねじりパルスを生成することになるカムローブを追加することによって、いくつかのカムねじりを加えることであった。このような手法は、１９９２年１１月２８日に発行された米国特許第 5,107,805号に説明されている。
【００６６】
本件出願は、異なるタイプのエンジンのカムシャフト・タイミング駆動システムにおけるトルク入力を増加させるための他の手法について開示しており、当該システムにおいては、カムトルク駆動（ＣＴＡ）型可変カムタイミング（ＶＣＴ）位相器が用いられている。
【特許文献１】米国特許第 5,002,023号明細書
【特許文献２】米国特許第 5,107,804号明細書
【特許文献３】米国特許第 5,172,659号明細書
【特許文献４】米国特許第 5,184,578号明細書
【特許文献５】米国特許第 5,289,805号明細書
【特許文献６】米国特許第 5,361,735号明細書
【特許文献７】米国特許第 5,497,738号明細書
【特許文献８】米国特許第 5,657,725号明細書
【特許文献９】米国特許第 6,247,434号明細書
【特許文献１０】米国特許第 6,250,265号明細書
【特許文献１１】米国特許第 6,263,846号明細書
【特許文献１２】米国特許第 6,311,655号明細書
【特許文献１３】米国特許第 6,374,787号明細書
【特許文献１４】米国特許第 6,477,999号明細書
【特許文献１５】米国特許第 5,107,805号明細書
【発明の開示】
【発明が解決しようとする課題】
【００６７】
本発明が解決しようとする課題は、カムシャフト・タイミング駆動システムにおいて、トルク入力を増加させる点にある。
【課題を解決するための手段】
【００６８】
請求項１の発明は、少なくとも一つのカムシャフトに駆動連結されたクランクシャフトを有する可変カムタイミング（ＶＣＴ）システムにおいて、少なくとも一つのタイミングギヤが、クランクシャフトまたはカムシャフトと連係しており、タイミングギヤが、歯状突起を有する少なくとも二つのグループを備えている。少なくとも二つのグループは、ギヤ中心まで第１の距離を有する第１のグループと、ギヤ中心まで第２の距離を有する第２のグループとを含んでおり、第１の距離が第２の距離と異なっている。
【００６９】
請求項２の発明では、少なくとも二つのグループが、ギヤ中心まで第３の距離を有する第３のグループをさらに備えている。
【００７０】
請求項３の発明では、タイミングギヤが少なくとも一つのカムシャフトに同心に取り付けられている。
【００７１】
請求項４の発明では、タイミングギヤがクランクシャフトに同心に取り付けられている。
【００７２】
請求項５の発明では、タイミングギヤが位相器に取り付けられている。
【００７３】
請求項６の発明では、タイミングギヤがエンジンタイミングチェーンと係合しており、タイミングギヤが、エンジンタイミングチェーンのリンクと係合するようにリム上に配置された、異なる歯状突起および溝を有している。
【００７４】
請求項７の発明では、タイミングギヤがエンジンタイミングベルトと係合している。
【００７５】
請求項８の発明は、少なくとも一つのカムシャフトに駆動連結されたクランクシャフトを有する可変カムタイミング（ＶＣＴ）システムにおいて、システムが、少なくとも一つのカムシャフトの上に配置された共振体を備えている。共振体は、少なくとも一つの質量と、少なくとも一つの弾性部材とを有しており、それによって、少なくとも一つのカムシャフトのねじり振動が、所定のエンジン速度において増加している。
【００７６】
請求項９の発明では、少なくとも一つの質量が環状の金属製部材を備えている。
【００７７】
請求項１０の発明では、少なくとも一つの弾性部材が、少なくとも一つのカムシャフトに装着された環状のゴム製部材を備えている。
【００７８】
請求項１１の発明では、少なくとも一つの弾性部材が、少なくとも一つのカムシャフトに装着された第１の端部と、少なくとも一つの質量に連結された第２の端部とを有する少なくとも一つのスプリングを備えている。
【００７９】
請求項１２の発明では、システムが、カムトルク駆動（ＣＴＡ）型、油圧駆動（ＯＰＡ：oil pressure actuated）型、またはトルク・アシスト（ＴＡ）型システムである。
【００８０】
請求項１３の発明では、ＶＣＴシステムが、カムトルク駆動（ＣＴＡ）型、油圧駆動（ＯＰＡ）型、またはトルク・アシスト（ＴＡ）型システムである。
【００８１】
本発明においては、種々のタイプのエンジンのためのカムシャフト・タイミング駆動システムのトルク入力を増加させる一組の装置が提供されており、この装置においては、増加トルクがカムトルク駆動（ＣＴＡ）型可変カムタイミング（ＶＣＴ）位相器のために使用されている。
【００８２】
カムトルク駆動（ＣＴＡ）型システムにおいては、少なくとも一つのカムシャフトに連結されたクランクシャフトを有している。当該システムは、クランクシャフトまたはカムシャフトに連係する少なくとも一つのタイミングギヤを有している。
【００８３】
タイミングギヤは、ギヤの中心から第１の距離を有する第１のグループと、ギヤの中心から第２の距離を有する第２のグループという少なくとも二つの歯状突起のグループを有している。第１の距離は第２の距離と異なっている。
【００８４】
それによって、トルク駆動のためのねじりエネルギがＣＴＡシステムにおいて増加する。言い換えれば、異なる径がチェーンを減速させまたは増速させて、ねじりエネルギを発生させる。
【００８５】
カムトルク駆動（ＣＴＡ）型システムにおいては、クランクシャフトが少なくとも一つのカムシャフトに連結されている。システムは、少なくとも一つのカムシャフトの上に配置された共振体を有している。
【００８６】
共振体は、少なくとも一つの質量と少なくとも一つの弾性部材とを有している。それによって、少なくとも一つのカムシャフトのねじり振動が所定のエンジン速度において増加させられる。
【００８７】
本発明およびその目的をさらに理解するためには、図面、図面の簡単な説明、本発明の好ましい実施態様の詳細な説明および特許請求の範囲に注意が向けられるべきである。
【発明の効果】
【００８８】
本発明によれば、ＶＣＴシステムにおいて、ねじり入力を増加させることができる。
【発明を実施するための最良の形態】
【００８９】
以下、本発明の実施態様を添付図面に基づいて説明する。
図２において、ロータ１は、取付フランジ８によってカムシャフト９に固定されており、ロータ１およびロータフロントプレート４はねじ１４によって固定されている。ロータ１は、各々半径方向外方に延びかつ直径方向に対向する一対のベーン１６を有している。
【００９０】
ベーン１６は、ハウジングボディ２に形成された凹部１７内に延びている。インナープレート５、ハウジングボディ２およびアウタープレート３は、ねじ１３によって、取付フランジ８、ロータ１およびロータフロントプレート４の回りに一体に固定されている。アウタープレート３およびインナープレート５によって囲繞されたベーン１６を保持する凹部１７が、流体を密封するチャンバを形成している。
【００９１】
タイミングギヤ１１は、ねじ１２によってインナープレート５に連結されている。総体的に、インナープレート５、ハウジングボディ２、アウタープレート３およびタイミングギヤ１１は、「ハウジング」と呼称されている。タイミングギヤ１１は、任意のギヤまたはスプロケットでよいということが注目される。タイミングギヤ１１の詳細は図３に示されている。
【００９２】
図３には、図２のタイミングギヤ１１のような装置８０の横断面の概略が一部詳細に示されている。本発明が、図３に示されたような適切な外周形状または構造を有する任意のギヤ装置を意図しているということが注目される。
【００９３】
ｎ枚の歯および溝を有する区画部分の組８２（ここでは３組のみ図示）が円周上に、つまりタイミングギヤ８４の外周縁部に設けられている。図３においては、ｎ＝６であるが、装置８０の円周つまり外周縁部が実質的にカム形状を有している限り、ｎは任意の正の整数でよいということに注目してほしい。言い換えれば、ｎは、適切な結果を得るためには他の正の整数でもよい。さらに、歯および溝は装置８０の真円（図示点線の円８４）を囲繞しているが、ここでは三つの組８２のみが示されている。
【００９４】
ｎ枚の歯および溝の組８２は、以下の特徴を有している。真円８４の中心８６から組８２の任意の溝に到るまで、異なる少なくとも二つの距離が定義されている。その距離は、たとえば、真円８４の半径８８と、半径８８＋第１のオフセット長さ９０（例：ｘ＋Δｘ）と、半径８８−第２のオフセット長さ９２（例：ｘ−Δｘ）とである。第１のオフセット長さ９０と第２のオフセット長さ９２は、同一でも異なっていてもよい。図３においては、異なる三つの距離が用いられている。これらの距離は、半径８８、半径８８＋第１のオフセット長さ９０、半径８８−第２のオフセット長さ９２である。
【００９５】
なお、エンジン型式に応じて（たとえばＩ４型内燃機関では）、二つの異なる距離を使用し得るということが注目されるべきである。所望の結果は、カムトルク駆動（ＣＴＡ）型可変カムタイミング（ＶＣＴ）システムを駆動するためにねじりエネルギを十分に増加させることである。
【００９６】
装置８０は、たとえばスプロケットである。図３に示された装置８０の横断面は、真円８４の中心まで異なる距離を有する異なる区画部分がタイミングベルトまたはタイミングチェーンに対して異なる緊張力を作用させるように、それ自体カムとみなし得る。
【００９７】
装置８０の一例は、トリコイダル・スプロケット（TrichoidalSprocket）である。トリコイダル・スプロケットは、各区画部分が他の二つの区画部分に関して異なる距離を有しているような三つの区画部分を備えたスプロケットである。
【００９８】
言い換えれば、トリコイダル・スプロケットは、スプロケット外周において３個所の丸い部分からカムスプロケットまたはクランクスプロケットのいずれか一方を製作する方法を使用することを含んでいる。
【００９９】
これにより、トリコイダル・スプロケットは、チェーンがスプロケットに巻き付いたときに側面から側面までの区画部分方向のチェーン長さの変化を組み込んでいる。組み込まれたチェーン長さの変化は、ＶＣＴ位相器の外径へのねじり入力を増加させる。増加したねじり入力は、位相器の応答性を増加させる。
【０１００】
図２においては、カムシャフト９を除く残りの構成部品が位相器の構成部品として呼称されるということが注目される。
【０１０１】
図４には、本発明に適した共振体の第１の実施例が示されている。共振体は、システムの共振周波数の近傍の周波数領域内でカムシャフトのような第２の装置の振動数を増加させる任意の装置である。共振体は、少なくとも一つのエンジン速度領域内のねじりが改良される限りにおいて、カムシャフト上の任意の位置に配置することが可能である。
【０１０２】
ねじりは、適切なＣＴＡ運転のためのカムシャフトを含む機械的システムにおいて、所望の振動を生じさせる。共振体は、弾性部材および質量を有している。第１の実施例は、図２のカムシャフト９のような軸の回りに巻き掛けられた環状部材９４を有している。環状部材９４には、一対の高密度部材（質量）９６が取り付けられている。
【０１０３】
環状部材９４は、ラバーのような材料から構成されている。高密度部材９６は、金属のような材料から構成されている。言い換えれば、共振体は、多くの異なる手法で製作され得るが、これらの手法はすべて、質量と、所望の周波数で振動させるためのスプリングとを有している。
【０１０４】
図５には、本発明に適した共振体の第２の実施例が示されている。適切な質量を有する部材９７が、弾性部材９８を介してカムシャフト９のような軸に連結されている。第２の部材９７および弾性部材９８が軸９に関して対称に設けられていてもよいということが注目される。
【０１０５】
理解されるように、本発明においては、適切なシステム運転のためにねじりを増加させるように、カムトルク駆動（ＣＴＡ）型可変カムタイミング（ＶＣＴ）システムと組み合わされて任意の共振体を使用することが意図されている。
【０１０６】
したがって、図４および図５と異なる構造を有する他の共振体を、本発明の可変カムタイミング（ＶＣＴ）システムと組み合わせて使用するようにしてもよい。典型的なアプリケーションは、Ｉ４エンジン内で用いられるまたはＩ４エンジンと連係して用いられるＶＣＴシステムを使用している。
【０１０７】
再び図１を参照することによって分かるように、実線５０は、交点５２を超えた高速のエンジン速度領域において、実線４０の下方に位置している。したがって、交点５２を超えた高速のエンジン速度領域においてねじりを増加させるために、図４および図５に記述されたような適切な共振体が用いられる。
【０１０８】
それぞれ実線６０，７０で表されたＩ５タイプおよびＩ６タイプのエンジンに関しては、同様に共振体が用いられ得る。しかしながら、実線全体が破線４０の下方に位置している特徴を有するエンジンについては、使用される共振体は、実線６０，７０で示されるエンジン速度の全範囲にわたってねじりを増加させることが要求される。
【０１０９】
また、図１によれば、実線２０，３０は十分なねじりを有しているように見えるが、もし実線２０，３０のねじりを増加させるのが望ましいのであれば、それぞれのねじりをさらに増加させるように共振体を用いるようにしてもよい。さらに、共振体は、カムねじりエネルギを増加させるようにねじり共振体を励起させるカムねじり周波数に同調されている。
【０１１０】
言い換えれば、所定の周波数特性に予め同調された共振体が、本発明のために提供されている。予め同調された共振体は、特定の速度においてカムのねじり振動を増加させるために、カムシャフトと組み合わされる。エンジン速度が増加すると、カムシャフトの第４次周波数も増加する。
【０１１１】
共振体は、カムの第４次の周波数が共振体の共振周波数と一致したときに共振するように、予め調整することも可能である。この手法は、第４次のカムねじり周波数が減少しているときに、高速のエンジン速度領域において適切なものになるであろう。
【０１１２】
したがって、カム速度が増加して、カムからの第４次のねじり入力が減少するときに、第４次の周波数が再び増加し始めるようにするねじり共振体が提供されている。このことは、カムトルク駆動（ＣＴＡ）型位相器の駆動速度を増加させるのに役立つだろう。
【０１１３】
図６には、それぞれカムタイミングギヤ８０ａ，８０ｂを有する２本のカムシャフトと、これを駆動するクランクシャフトタイミングギヤ１００を有するクランクシャフトの概略が示されている。
【０１１４】
クランクシャフトタイミングギヤ１００は、それぞれカムタイミングギヤ８０ａを有する、別の２本の類似のカムシャフト（図示せず）と駆動連結されていてもよい。たとえば、Ｖ型エンジンブロックシステムにおいては、別の２本の類似のカムシャフトが必要である。
【０１１５】
タイミングギヤ８０ａ，８０ｂの非円形の外周形状つまり外側縁部の形状に注目してほしい。図示していないが、同じ目的を達成するために、タイミングギヤ１００がタイミングギヤ８０ａ，８０ｂと同一の形状を有していてもよいということは注目されるべきである。チェーンやベルトのような連結装置１０２がクランクシャフトとカムシャフトを駆動連結している。
【０１１６】
図６には、三つのローブを有するトリコイダル形状が示されているが、Ｉ４タイプのようなエンジン型式によっては、二つのローブを有するジコイダル（dichoidal）形状を有していてもよいということが注目されるべきである。二つのローブ形状を使用するのは、所望のねじりを得るためである。
【０１１７】
本発明はまた、トーション・アシスト（ＴＡ）型またはトルク・アシスト型位相器システムへの適用を意図しているということが注目される。言い換えれば、本発明はＣＴＡおよびＴＡの双方を含むことを意図している。しかしながら、高速時には、ＴＡシステムが油圧を使用できるということが注目される。もし高速時に油圧が低ければ、このことはＴＡシステムの手助けになるだろう。
【０１１８】
以下の事項は、本発明に関連する用語および概念である。
上記流体が作動流体であるということが注目されるべきである。作動流体は、ベーン位相器内でベーンを移動させる流体のことである。典型的には、作動流体はエンジンオイルを含んでいるが、これとは別個の作動流体である。
【０１１９】
本発明のＶＣＴシステムは、カムトルク駆動（ＣＴＡ）ＶＣＴシステムである。ＶＣＴシステムは、ベーンを移動させるのにエンジンバルブを開閉させる力によって生じるカムシャフト内のトルク逆転現象を使用している。
【０１２０】
ＣＴＡシステム内の制御バルブは、アドバンスチャンバからリタードチャンバへの流体の流れを許容しており、これにより、ベーンの移動を許容しまたは流体の流れを停止させて、ベーンを所定位置にロックしている。
【０１２１】
ＣＴＡ位相器はまた、漏れによる損失を補填するためにオイル導入口を有しているが、位相器を移動させるのにエンジンオイル圧を使用してはいない。ベーンは、チャンバ内に収容されるとともに、作動流体が作用する半径方向の部材である。ベーン位相器は、チャンバ内で移動するベーンによって駆動される位相器である。
【０１２２】
エンジンには、一つまたはそれ以上のカムシャフトがある。カムシャフトは、ベルト、チェーン、ギヤまたは他のカムシャフトにより駆動される。カムシャフト上には、バルブを押圧するローブが設けられている。
【０１２３】
多数本のカムシャフトを有するエンジンにおいては、大抵の場合、エグゾーストバルブ用に１本のシャフトが設けられ、インテークバルブ用に一本のシャフトが設けられている。Ｖ型エンジンは、通常、各バンクに１本ずつ２本のカムシャフトを有しているか、または各バンクにインテークバルブ用およびエグゾーストバルブ用の４本のカムシャフトを有している。
【０１２４】
チャンバは、ベーンが回転する空間領域として定義されている。チャンバは、クランクシャフトに対してバルブを先に開放させるアドバンスチャンバと、クランクシャフトに対してバルブを後で開放させるリタードチャンバとに分割されている。チェックバルブは、ただ一つの方向のみの流体の流れを許容するバルブとして定義されている。
【０１２５】
クローズドループは、一つの特性を他の特性に反応させて変化させるとともに、その変化が正しくなされたかどうかチェックして、所望の結果が得られるように作用を調整する制御システムとして定義されている。たとえば、ＥＣＵからの命令に反応して位相器位置を変化させるバルブを移動させ、実際の位相器位置をチェックして、バルブを再度正規の位置に移動させる。
【０１２６】
制御バルブは、位相器への流体の流れを制御するバルブである。制御バルブは、ＣＴＡシステムの位相器の内部に設けられている。制御バルブは、油圧またはソレノイドによって駆動される。クランクシャフトは、ピストンからの動力により、トランスミッションおよびカムシャフトを駆動する。
【０１２７】
スプールバルブは、スプール型の制御バルブとして定義されている。典型的には、スプールは穴内に配置されて、一方の通路を他方の通路に連絡している。スプールは、大抵の場合、位相器のロータの中心軸に配置されている。
【０１２８】
差圧制御システム（ＤＰＣＳ： differential pressure control system)は、スプールの各端部への作動流体圧を使用して、スプールバルブを移動させるシステムである。スプールの一端は他端よりも大きくなっており、一端に作用する流体は通常は油圧制御のＰＷＭバルブによって制御され、全供給圧はスプールの他端に供給されており、これにより、差圧が生じている。
【０１２９】
バルブ制御ユニット（ＶＣＵ： valve control unit)は、ＶＣＴシステムを制御するための制御回路である。典型的には、ＶＣＵは、ＥＣＵからの命令に反応して作動する。
【０１３０】
ドリブンシャフトは、ＶＣＴ内において動力を受ける任意のシャフトであり、大抵の場合、カムシャフトである。ドライブシャフトは、ＶＣＴ内において動力を供給する任意のシャフトであり、大抵の場合はクランクシャフトであるが、一方のカムシャフトに対する他方の駆動カムシャフトの場合もある。
【０１３１】
ＥＣＵは、車載コンピュータであるエンジン制御ユニットである。エンジンオイルは、エンジンを潤滑するのに使用されるオイルであり、制御バルブを介して位相器を駆動するのに圧力を作用させている。
【０１３２】
ハウジングは、チャンバを備えた位相器の外側部分として定義されている。ハウジングの外側部分は、タイミングベルト用のプーリ、タイミングチェーン用のスプロケットまたはタイミングギヤ用のギヤである。
【０１３３】
作動流体は、ブレーキオイルやパワーステアリングオイルと同様に、液圧シリンダに使用される任意のオイルである。作動流体は、必ずしもエンジンオイルと同じでなくてもよい。
【０１３４】
ロックピンは、位相器を所定位置にロックするように配置されている。ロックピンは、エンジン始動時や停止時のように、油圧が低すぎて位相器を保持できない場合に通常用いられる。
【０１３５】
ＯＰＡ型のＶＣＴシステムは、ベーンを移動させるのにエンジンオイル圧をベーンの一方の側または他方の側に作用させる一般的な位相器を使用している。
【０１３６】
オープンループは、作用を確認するフィードバックを行うことなく、一つの特性を他方の特性に反応して変化させる（たとえば、ＥＣＵからの命令信号に反応してバルブを移動させる）制御システム内で用いられている。
【０１３７】
位相は、カムシャフトおよびクランクシャフト間（または、位相器が他方のカムによって駆動される場合にはカムシャフト間）の相対的角度位置として定義されている。位相器は、カムに据え付けられる全体の部分として定義されている。
【０１３８】
位相器は、典型的には、ロータおよびハウジング、さらにはスプールバルブおよびチェックバルブから構成されている。ピストン位相器は、内燃機関のシリンダ内のピストンによって駆動される位相器である。ロータは、カムシャフトに装着された、位相器の内側部分である。
【０１３９】
ＰＷＭは、電圧または流体圧のオン・オフパルスのタイミングを変化させることによって、変化する力または圧力を提供している。ソレノイドは、機械的アームを移動させるのにコイル内を流れる電流を使用する電気式アクチュエータである。
【０１４０】
可変力ソレノイド（ＶＦＳ： variable force solenoid）は、通常は供給電流のＰＷＭによってその駆動力が変化し得るソレノイドである。ＶＦＳは、オン・オフソレノイドに対向している。
【０１４１】
スプロケットは、エンジンタイミングチェーンのようなチェーンとともに使用される部材である。タイミングとは、ピストンが或る限定位置（通常は上死点（ＴＤＣ））に達する時間と他の事象が起こる時間との間の関係として定義される。たとえば、ＶＣＴまたはＶＶＴシステムにおいては、タイミングは通常、バルブが開くまたは閉じるときに関係している。点火タイミングは、点火プラグが点火するときに関係している。
【０１４２】
トーション・アシスト（ＴＡ）位相器またはトルク・アシスト位相器は、ＯＰＡ位相器の変形例であって、オイル供給ラインにチェックバルブを付加しており（つまり、単一のチェックバルブの実施態様）、または各チャンバへの供給ラインにチェックバルブを付加している（つまり、二つのチェックバルブの実施態様）。
【０１４３】
チェックバルブは、トルク逆転による油圧パルスが油圧システム内に伝搬するのを阻止するとともに、ベーンがトルク逆転により後退するのを停止させる。ＴＡシステムにおいては、前方へのトルク効果によるベーンの動きが許容されている。このため、トーション・アシストという表現が用いられている。ベーンの動きのグラフは、階段状である。
【０１４４】
ＶＣＴシステムは、位相器、制御バルブ、制御バルブアクチュエータおよび制御回路を有している。可変カムタイミング（ＶＣＴ）は、エンジンのインテークバルブおよび（または）エグゾーストバルブを駆動する一つまたはそれ以上のカムシャフト間の角度関係（位相）を制御しまたは変化させるための方法であって物ではない。角度関係はまた、クランクシャフトがピストンに連結されているところのカムおよびクランクシャフト間の位相関係を含んでいる。
【０１４５】
可変バルブタイミング（ＶＶＴ： variable valve timing）は、バルブタイミングを変化させる任意の方法である。ＶＶＴはＶＣＴに関連している。ＶＶＴは、カムの形状を変えることによって、あるいは、カムに対するカムローブの関係、カムまたはバルブに対するバルブアクチュエータの関係を変えることによって、達成される。
【０１４６】
またＶＶＴは、電気式または液圧式アクチュエータを使用してバルブを個々に制御することによって、達成される。言い換えれば、すべてのＶＣＴはＶＶＴであるが、ＶＶＴがすべてＶＣＴであるというわけではない。
【０１４７】
本発明が関連する分野の当業者は、上述の教示内容を考慮するとき、本発明の精神および本質的な特徴部分から外れることなく、本発明の原理を採用する種々の変形例やその他の実施態様を構築し得る。上述の実施態様はあらゆる点で単なる例示としてのみみなされるべきものであり、限定的なものではない。
【０１４８】
それゆえ、本発明の範囲は、上記記述内容よりもむしろ添付の請求の範囲に示されている。したがって、本発明が個々の実施態様に関連して説明されてきたものの、構造、順序、材料その他の変更は、本発明の範囲内においてではあるが、当該技術分野の当業者にとって明らかであろう。
【図面の簡単な説明】
【０１４９】
【図１】種々のタイプのエンジンにおいて、エンジン速度に対するトルク応答性の一組の機能的関係を示すグラフである。
【図２】本発明の一実施例におけるカムシャフトの分解組立図である。
【図３】本発明のタイミングギヤを示している。
【図４】本発明に適した共振体の第１の実施例を示している。
【図５】本発明に適した共振体の第２の実施例を示している。
【図６】２本のカムシャフトと噛み合うクランクシャフトの概略図である。
【符号の説明】
【０１５０】
９：  カムシャフト
８０ａ，８０ｂ：  カムシャフト
８４：  タイミングギヤ
１００：  クランクシャフト
【図１】
2004232628.tif 000003
【図２】
2004232628.tif 000004
【図３】
2004232628.tif 000005
【図４】
2004232628.tif 000006
【図５】
2004232628.tif 000007
【図６】
2004232628.tif 000008